(57)【要約】【課題】動作状態の検出タイミングと電池電圧の検出タイミングとのずれによる電池残量レベルの誤検出を防止する。【解決手段】電池電圧検出装置１０は、二次電池２の電圧を監視し、ｎ回目の電池電圧レベルと（ｎ＋１）回目の電池電圧レベルとを比較し、該比較結果に従って、（ｎ＋１）回目の電池電圧レベルを反映させるか否かを判定する。すなわち、ｎ回目および（ｎ＋１）回目の動作状態が一致し、かつｎ回目の電池電圧レベル（Ｖｎ）と、（ｎ＋１）回目の電池電圧レベル（Ｖｎ＋１）とが、最大電圧降下Ｖａ＞Ｖｎ−Ｖｎ＋１≧０となる条件が成立するときに、（ｎ＋１）回目の電池電圧レベルを現在の電池電圧レベルとし、それ以外のときは（ｎ＋１）回目の電池電圧レベルを採用せず、現状の電池電圧レベルを維持する。【選択図】図１
2007187456.tif 000002
【特許請求の範囲】
【請求項１】
電子機器を駆動する二次電池の電池電圧を検出し、該電池電圧に基づいて前記二次電池の電池残量レベルを決定する電池残量検出装置であって、
前記二次電池の電池電圧を検出する電池電圧検出手段と、
前記電池電圧検出手段による電池電圧検出時における前記電子機器の動作状態を検出する動作状態検出手段と、
前記動作状態検出手段によって検出した今回の動作状態と前回の動作状態とを比較する動作状態比較手段と、
前記電池電圧検出手段によって検出した今回の電池電圧と前回の電池電圧とを比較する電池電圧比較手段と、
前記動作状態比較手段により今回の動作状態と前回の動作状態とが一致し、かつ前記電池電圧比較手段により今回の電池電圧が前回の電池電圧以下であるという比較結果が得られた場合、前記今回の電池電圧に基づいて前記二次電池の電池残量レベルを決定する電池残量決定手段と
を具備することを特徴とする電池残量検出装置。
【請求項２】
前記電池残量検出手段は、前記動作状態比較手段により今回の動作状態と前回の動作状態とが一致しないという比較結果が得られた場合、あるいは前記電池電圧比較手段により今回の電池電圧が前回の電池電圧より高いという比較結果が得られた場合には、現在の電池残量レベルを維持することを特徴とする請求項１記載の電池残量検出装置。
【請求項３】
前記二次電池に対して充電が行われているか否かを判別する充電動作判別手段を具備し、
前記電池残量決定手段は、前記充電操作判別手段により前記二次電池に対して充電が行われていると判別された場合、前記動作状態比較手段および前記電池電圧比較手段による比較結果に関係なく、前記今回の電池電圧に基づいて前記二次電池の電池残量レベルを決定することを特徴とする請求項１記載の電池残量検出装置。
【請求項４】
電子機器を駆動する二次電池の電池電圧を検出し、該電池電圧に基づいて前記二次電池の電池残量レベルを決定する電池残量検出装置であって、
前記二次電池の電池電圧を検出する電池電圧検出手段と、
前記電池電圧検出手段による電池電圧検出時における前記電子機器の動作状態を検出する動作状態検出手段と、
前記動作状態検出手段によって検出した今回の動作状態と前回の動作状態とを比較する動作状態比較手段と、
前記電池電圧検出手段によって検出した今回の電池電圧と前回の電池電圧とを比較する電池電圧比較手段と、
前記動作状態比較手段により今回の動作状態と前回の動作状態とが一致しないという比較結果が得られた場合、あるいは前記電池電圧比較手段により今回の電池電圧が前回の電池電圧より高いという比較結果が得られた場合には、現在の電池残量レベルを維持する電池残量決定手段と
を具備することを特徴とする電池残量検出装置。
【請求項５】
前記二次電池に対して充電が行われているか否かを判別する充電動作判別手段を具備し、
前記電池残量決定手段は、前記充電操作判別手段により前記二次電池に対して充電が行われていると判別された場合、前記動作状態比較手段および前記電池電圧比較手段による比較結果に関係なく、前記今回の電池電圧に基づいて前記二次電池の電池残量レベルを決定することを特徴とする請求項４記載の電池残量検出装置。
【請求項６】
コンピュータに、
電子機器を駆動する二次電池の電池電圧を検出する電池電圧検出機能、
電池電圧検出時における前記電子機器の動作状態を検出する動作状態検出機能、
今回の動作状態と前回の動作状態とを比較する動作状態比較機能、
今回の電池電圧と前回の電池電圧とを比較する電池電圧比較機能、
前記今回の動作状態と前回の動作状態とが一致し、かつ前記今回の電池電圧が前回の電池電圧以下であるという比較結果が得られた場合、前記今回の電池電圧に基づいて前記二次電池の電池残量レベルを決定する電池残量決定機能
を実現することを特徴とする電池残量検出プログラム。
【請求項７】
コンピュータに、
電子機器を駆動する二次電池の電池電圧を検出する電池電圧検出機能、
電池電圧検出時における前記電子機器の動作状態を検出する動作状態検出機能、
今回の動作状態と前回の動作状態とを比較する動作状態比較機能、
今回の電池電圧と前回の電池電圧とを比較する電池電圧比較機能、
前記今回の動作状態と前回の動作状態とが一致しないという比較結果が得られた場合、あるいは前記今回の電池電圧が前回の電池電圧より高いという比較結果が得られた場合には、現在の電池残量レベルを維持する電池残量決定機能
を実現することを特徴とする電池残量検出プログラム。
【発明の詳細な説明】
【技術分野】
【０００１】
本発明は、電池残量検出装置、電池残量検出方法および電池残量検出プログラムに関する。
【背景技術】
【０００２】
携帯電話などの携帯端末では、電源に充電可能な二次電池（リチウムイオン電池など）が用いられている。従来より、このような携帯端末では、二次電池の電池電圧を検出してこの電池電圧に従って電池残量を表示することでユーザの利便性を図る技術が知られている（例えば、特許文献１、特許文献２参照）。
【０００３】
ところで、携帯端末に搭載される二次電池は、その特性上、内部に抵抗成分（内部抵抗）を持つため、端末の消費電流が大きくなれば電池電圧の電圧降下も大きくなる。ここで、図７は、一般的な二次電池および携帯端末の略構成を示すブロック図である。電池電圧検出装置（例えば、Ａ／Ｄコンバータなど）１は、二次電池２の電圧を監視している。回路ブロック３−１〜３−３は、端末の動作状態により、回路ブロック毎にオン／オフ制御される。そのときに消費する電流（負荷）をそれぞれ負荷Ａ〜Ｃとする。二次電池２は、電流供給源２−１と内部抵抗２−２とに等価的に表すことができる。
【０００４】
次に、図８は、二次電池２に負荷をかけたときの放電曲線の一例を示す図である。横軸は、二次電池２の放電容量を示し、縦軸は、二次電池２の電圧を表している。ラインＬ１は、回路ブロック３−１がオン状態のときの負荷Ａの放電特性、ラインＬ２は、回路ブロック３−１〜３−３が全てオン状態のときの負荷（Ａ＋Ｂ＋Ｃ）の放電特性である。上述したように、二次電池２の内部抵抗２−２の影響により、負荷（Ａ＋Ｂ＋Ｃ）の方が負荷Ａのみに比べて電圧降下が大きいので、負荷（Ａ＋Ｂ＋Ｃ）の放電曲線は、負荷Ａのそれに比べて電池電圧が低い方へシフトしている。
【０００５】
一般的に、電池電圧レベルの閾値電圧は、端末の終止電圧（電池電圧レベル０：図８では３．４Ｖ）までの電池の放電容量に対して、各レベルの容量をどのような割合にするかによって決定される。この割合は、端末の負荷電流が変化しても常に一定の割合になるように、制御する必要があるため、各負荷に応じた電池レベルの閾値電圧を設定している。
【０００６】
図８に示す例では、端末負荷（Ａ＋Ｂ＋Ｃ）の場合、電池電圧レベル３→２：３．６５Ｖ、電池電圧レベル２→１：３．６０Ｖ、電池電圧レベル１→０：３．４０Ｖとなり、端末負荷Ａの場合、電池電圧レベル３→２：３．７５Ｖ、電池電圧レベル２→１：３．７０Ｖ、電池電圧レベル１→０：３．５５Ｖとなる。
【０００７】
電池電圧レベルの制御は、図７に示す電池電圧検出装置１により、電池電圧を検出するタイミングで回路ブロック３−１〜３−３のどの回路ブロックがオン状態であるかを検知し、オン状態になっている回路ブロックの負荷により参照する閾値電圧値を制御している。すなわち、電池電圧レベル３→２の場合、回路ブロック３−１のみがオン状態になっているときは、３．７５Ｖの閾値電圧にて判断し、回路ブロック３−１〜３−３の全てがオン状態になっているときは、３．６５Ｖの閾値電圧にて判断する。このような制御を行うことにより、端末の負荷状態が変化しても、二次電池２の放電容量と電池電圧レベルとの関係を一定にすることができる。
【０００８】
次に、図９は、従来技術による電池電圧レベルの制御動作を説明するためのフローチャートである。まず、端末の動作状態（回路ブロック３−１〜３−２のオン／オフ状態）を検出する（ステップＳａ１０）。次に、上記動作状態に基づいて、電池電圧レベルの閾値電圧を決定する（ステップＳａ１２）。ここで、ＶＤＥＴ（２）は電池電圧レベル３→２、ＶＤＥＴ（１）は電池電圧レベル２→１、ＶＤＥＴ（０）は電池電圧レベル１→０である。
【０００９】
次に、電池電圧検出装置１により電池電圧Ｖを検出し（ステップＳａ１４）、変数ＢＬに現在の電池電圧レベルを代入する（ステップＳａ１６）。次に、電池電圧Ｖと閾値電圧ＶＥＤＴ（ＢＬ−１）を比較し、Ｖ≧ＶＤＥＴ（ＢＬ−１）であるか否かを判断する（ステップＳａ１８）。そして、電池電圧Ｖが閾値ＶＤＥＴ（ＢＬ−１）よりも小さい場合には、変数ＢＬを１減算し（ステップＳａ２０）、変数ＢＬが０になったか否かを判断し（ステップＳａ２２）、変数ＢＬが０でなければ、ステップＳａ１８に戻り、電池電圧Ｖと閾値とを順次比較していく。
【００１０】
そして、上記ステップＳａ１８〜Ｓａ２２において、変数ＢＬが０になると、その時点の変数ＢＬを現在の電池電圧レベルする（Ｓａ２４）。ゆえに、現在の電池電圧レベルは０となる。一方、上記ステップＳａ１８〜Ｓａ２２において、電池電圧Ｖが閾値ＶＤＥＴ（ＢＬ−１）より大きい場合には、その時点の変数ＢＬを現在の電池電圧レベルとする（ステップＳａ２４）。
【００１１】
このように、従来技術では、電池電圧レベルを判定する際の閾値電圧との比較は、電池電圧を検出するタイミングでの端末の動作モードを判断し、そのモードの負荷に応じた電池の電圧降下を補正していた。
【００１２】
【特許文献１】特開平８−３１３６０７号公報
【特許文献２】特開２００３−０８７９７９号公報
【発明の開示】
【発明が解決しようとする課題】
【００１３】
ところで、上記従来技術において、例えば、電池電圧検出タイミングでの動作モードが重負荷時であったが、このモードが瞬間的に発生し、モードを判定するタイミングでは軽負荷でのモードと判断されると、通常より早く電池レベルが減少し、その結果、ユーザから見て電池の減りが早いと思われてしまう。
【００１４】
より具体的には、動作状態検出結果が、回路ブロック３−１のみがオン状態になっているのを検出したときの閾値電圧は、図８に示す放電曲線から、レベル３→２で３．７５Ｖ、レベル２→１で３．７０Ｖ、レベル１→０で３．５５Ｖとなる。しかしながら、その直後に動作状態が、回路ブロック３−１〜３−３の全てがオン状態になったとすると、電池レベル判定が図１０に示すように左側にシフトしてしまい、結果的に電池電圧レベルが実際よりも早く変化してしまうことになる。
【００１５】
このように、上記従来技術では、電池電圧検出タイミングとそのときの端末動作モードの判定タイミングとが同一の場合には、端末の動作モードによらず、常に安定した電池電圧レベル判定が可能であるが、実際の動作では、ソフトウェア処理に時間を要するので、２つの検出タイミングにタイムラグが生じ、正確な電池レベル判定ができなくなるという問題がある。
【００１６】
そこで本発明は、動作状態の検出タイミングと電池電圧の検出タイミングとのずれによる電池残量レベルの誤検出を防止することができる電池残量検出装置、電池残量検出方法および電池残量検出プログラムを提供することを目的とする。
【課題を解決するための手段】
【００１７】
上記目的達成のため、請求項１、６記載の発明は、二次電池の電池電圧を検出し、電池電圧検出時における電子機器の動作状態を検出し、今回の動作状態と前回の動作状態とを比較するとともに、今回の電池電圧と前回の電池電圧とを比較し、今回の動作状態と前回の動作状態とが一致し、かつ今回の電池電圧が前回の電池電圧以下であるという比較結果が得られた場合、今回の電池電圧に基づいて二次電池の電池残量レベルを決定することを特徴とする。
【００１８】
また、好ましい態様として、例えば請求項２記載のように、請求項１記載の電池残量検出装置において、前記電池残量検出手段は、前記動作状態比較手段により今回の動作状態と前回の動作状態とが一致しないという比較結果が得られた場合、あるいは前記電池電圧比較手段により今回の電池電圧が前回の電池電圧より高いという比較結果が得られた場合には、現在の電池残量レベルを維持するようにしてもよい。
【００１９】
また、好ましい態様として、例えば請求項３記載のように、請求項１記載の電池残量検出装置において、前記二次電池に対して充電が行われているか否かを判別する充電動作判別手段を具備し、前記電池残量決定手段は、前記充電操作判別手段により前記二次電池に対して充電が行われていると判別された場合、前記動作状態比較手段および前記電池電圧比較手段による比較結果に関係なく、前記今回の電池電圧に基づいて前記二次電池の電池残量レベルを決定するようにしてもよい。
【００２０】
また、上記目的達成のため、請求項４、７記載の発明は、二次電池の電池電圧を検出し、電池電圧検出時における電子機器の動作状態を検出し、今回の動作状態と前回の動作状態とを比較するとともに、今回の電池電圧と前回の電池電圧とを比較し、今回の動作状態と前回の動作状態とが一致しないという比較結果が得られた場合、あるいは今回の電池電圧が前回の電池電圧より高いという比較結果が得られた場合には、現在の電池残量レベルを維持することを特徴とする。
【００２１】
また、好ましい態様として、例えば請求項５記載のように、請求項４記載の電池残量検出装置において、前記二次電池に対して充電が行われているか否かを判別する充電動作判別手段を具備し、前記電池残量決定手段は、前記充電操作判別手段により前記二次電池に対して充電が行われていると判別された場合、前記動作状態比較手段および前記電池電圧比較手段による比較結果に関係なく、前記今回の電池電圧に基づいて前記二次電池の電池残量レベルを決定するようにしてもよい。
【発明の効果】
【００２２】
請求項１、６記載の発明によれば、二次電池の電池電圧を検出し、電池電圧検出時における電子機器の動作状態を検出し、今回の動作状態と前回の動作状態とを比較するとともに、今回の電池電圧と前回の電池電圧とを比較し、今回の動作状態と前回の動作状態とが一致し、かつ今回の電池電圧が前回の電池電圧以下であるという比較結果が得られた場合、今回の電池電圧に基づいて二次電池の電池残量レベルを決定するようにしたので、動作状態の検出タイミングと電池電圧の検出タイミングとのずれによる電池残量レベルの誤検出を防止することができるという利点が得られる。
【００２３】
また、請求項２記載の発明によれば、電池残量検出手段により、今回の動作状態と前回の動作状態とが一致しないという比較結果が得られた場合、あるいは今回の電池電圧が前回の電池電圧より高いという比較結果が得られた場合には、現在の電池残量レベルを維持するようにしたので、動作状態の検出タイミングと電池電圧の検出タイミングとのずれによる電池残量レベルの誤検出を防止することができるという利点が得られる。
【００２４】
また、請求項３記載の発明によれば、電池残量決定手段により、充電動作判別手段によって二次電池に対して充電が行われていると判別された場合、動作状態比較手段および電池電圧比較手段による比較結果に関係なく、今回の電池電圧に基づいて二次電池の電池残量レベルを決定するようにしたので、充電時であっても、動作状態の検出タイミングと電池電圧の検出タイミングとのずれによる電池残量レベルの誤検出を防止することができるという利点が得られる。
【００２５】
また、請求項４、７記載の発明によれば、二次電池の電池電圧を検出し、電池電圧検出時における電子機器の動作状態を検出し、今回の動作状態と前回の動作状態とを比較するとともに、今回の電池電圧と前回の電池電圧とを比較し、今回の動作状態と前回の動作状態とが一致しないという比較結果が得られた場合、あるいは今回の電池電圧が前回の電池電圧より高いという比較結果が得られた場合には、現在の電池残量レベルを維持するようにしたので、動作状態の検出タイミングと電池電圧の検出タイミングとのずれによる電池残量レベルの誤検出を防止することができるという利点が得られる。
【００２６】
また、請求項５記載によれば、電池残量決定手段により、充電操作判別手段によって二次電池に対して充電が行われていると判別された場合、動作状態比較手段および電池電圧比較手段による比較結果に関係なく、今回の電池電圧に基づいて二次電池の電池残量レベルを決定するようにしたので、充電時であっても、動作状態の検出タイミングと電池電圧の検出タイミングとのずれによる電池残量レベルの誤検出を防止することができるという利点が得られる。
【発明を実施するための最良の形態】
【００２７】
以下、本発明の実施の形態を、図面を参照して説明する。
【００２８】
Ａ．実施形態の構成
図１は、本発明の実施形態による二次電池および携帯端末の略構成を示すブロック図である。なお、図７に対応する部分には同一の符号を付けて説明を省略する。図において、電池電圧検出装置１０は、二次電池２の電圧を監視し、ｎ回目の電池電圧レベルＶｎと（ｎ＋１）回目の電池電圧レベルＶｎ＋１とを比較し、該比較結果に従って、（ｎ＋１）回目の電池電圧レベルＶｎ＋１を反映させるか否かを判定する。なお、ｎ回目とは前回の検出であり、（ｎ＋１）回目とは今回の検出に相当する。
【００２９】
より具体的には、ｎ回目および（ｎ＋１）回目の動作状態が一致し、かつｎ回目の電池電圧レベルＶｎと、（ｎ＋１）回目の電池電圧レベルＶｎ＋１とが、Ｖａ＞Ｖｎ−Ｖｎ＋１≧０（但し、Ｖａ：最大負荷で放電したとき、ｎ回目と（ｎ＋１）回目との検出にて起こり得る最大電圧降下）となる条件が成立するときに、（ｎ＋１）回目の電池電圧レベルＶｎ＋１を現在の電池電圧レベルとし、それ以外のときは（ｎ＋１）回目の電池電圧レベルＶｎ＋１を採用せず、現状の電池電圧レベルを維持するようになっている。なお、上記最大電圧降下Ｖａは、検出間隔を短くすれば極めて僅かとなる。
【００３０】
Ｂ．実施形態の動作
次に、上述した実施形態の動作について説明する。ここで、図２は、本実施形態による電池電圧検出装置の動作を説明するためのフローチャートである。
【００３１】
まず、（ｎ＋１）回目の端末の動作状態（回路ブロックＡ〜Ｃのオン／オフ状態）を検出する（ステップＳ１０）。次に、上記動作状態に基づいて、電池電圧レベルの閾値電圧を決定する（ステップＳ１２）。ここで、ＶＤＥＴ（２）は電池電圧レベル３→２、ＶＤＥＴ（１）は電池電圧レベル２→１、ＶＤＥＴ（０）は電池電圧レベル１→０である。
【００３２】
次に、電池電圧検出装置１０により電池電圧Ｖｎ＋１を検出し（ステップＳ１４）、充電ありか否かを判断する（ステップＳ１６）。そして、二次電池２に対して充電している場合には、変数ＢＬに現在の電池電圧レベルを代入する（ステップＳ２２）。次に、電池電圧Ｖｎ＋１と閾値電圧ＶＥＤＴ（ＢＬ−１）とを比較し、Ｖｎ＋１≧ＶＤＥＴ（ＢＬ−１）であるか否かを判断する（ステップＳ２４）。そして、電池電圧Ｖが閾値ＶＤＥＴ（ＢＬ−１）よりも小さい場合には、変数ＢＬを１減算し（ステップＳ２６）、変数ＢＬが０になったか否かを判断し（ステップＳ２８）、変数ＢＬが０でなければ、ステップＳ２４に戻り、電池電圧Ｖと閾値とを順次比較していく。
【００３３】
そして、上記ステップＳ２４〜Ｓ２８において、変数ＢＬが０になると、その時点の変数ＢＬを現在の電池電圧レベルする（Ｓ３０）。ゆえに、現在の電池電圧レベルは０となる。一方、上記ステップＳ２４〜Ｓ２８において、電池電圧Ｖｎ＋１が閾値ＶＤＥＴ（ＢＬ−１）より大きい場合には、その時点の変数ＢＬを現在の電池電圧レベルとし、該電池電圧レベルを表示する（ステップＳ３０）。
【００３４】
また、二次電池２に対して充電していない場合には、ｎ回目の動作状態と（ｎ＋１）回目の動作状態が同じであるか否かを判断する（ステップＳ１８）。そして、ｎ回目の動作状態と（ｎ＋１）回目の動作状態が同じである場合には、ｎ回目の電池電圧レベルＶｎと、（ｎ＋１）回目の電池電圧レベルＶｎ＋１とが、Ｖａ＞Ｖｎ−Ｖｎ＋１≧０（但し、Ｖａ：最大負荷で放電したとき、ｎ回目と（ｎ＋１）回目との検出にて起こり得る最大電圧降下）となるか否かを判断する（ステップＳ２０）。そして、ｎ回目の動作状態と（ｎ＋１）回目の動作状態が一致しない場合、あるいは（ｎ＋１）回目の電池電圧レベルＶｎ＋１がｎ回目の電池電圧レベルＶｎより高い場合には、（ｎ＋１）回目の電池電圧レベルＶｎ＋１で現在の電池電圧レベルを更新することなく当該処理を終了する。
【００３５】
これに対して、ｎ回目の動作状態と（ｎ＋１）回目の動作状態が一致し、かつ（ｎ＋１）回目の電池電圧レベルＶｎ＋１がｎ回目の電池電圧レベルＶｎ以下である場合には、上述した充電中の場合と同様に、変数ＢＬに現在の電池電圧レベルを代入し（ステップＳ２２）、電池電圧Ｖｎ＋１と閾値電圧ＶＥＤＴ（ＢＬ−１）とを比較し、Ｖｎ＋１≧ＶＤＥＴ（ＢＬ−１）であるか否かを判断する（ステップＳ２４）。そして、電池電圧Ｖが閾値ＶＤＥＴ（ＢＬ−１）よりも小さい場合には、変数ＢＬを１減算し（ステップＳ２６）、変数ＢＬが０になったか否かを判断し（ステップＳ２８）、変数ＢＬが０でなければ、ステップＳ２４に戻り、電池電圧Ｖと閾値とを順次比較していく。
【００３６】
そして、上記ステップＳ２４〜Ｓ２８において、変数ＢＬが０になると、その時点の変数ＢＬを現在の電池電圧レベルする（Ｓ３０）。ゆえに、現在の電池電圧レベルは０となる。一方、上記ステップＳ２４〜Ｓ２８において、電池電圧Ｖｎ＋１が閾値ＶＤＥＴ（ＢＬ−１）より大きい場合には、その時点の変数ＢＬを現在の電池電圧レベルとし、該電池電圧レベルを表示する（ステップＳ３０）。
【００３７】
以下、（ｎ＋１）回目の検出結果が現状の電池電圧レベルに反映されない場合について具体的に図を参照して説明する。例えば、図３に示すように、ｎ回目の動作状態で負荷Ａのみがオン状態であったのに、その直後、負荷Ａ〜Ｃの全てがオン状態となった場合には、ｎ回目および（ｎ＋１）回目の動作状態が一致しないので、（ｎ＋１）回目の検出結果は現状の電池電圧レベルとならない。
【００３８】
また、図４に示すように、ｎ回目の動作状態と（ｎ＋１）回目の動作状態が一致するものの、（ｎ＋１）回目の電池電圧レベルがｎ回目の電池電圧レベルより大となるので、（ｎ＋１）回目の検出結果は現状の電池電圧レベルとならない。
【００３９】
また、図５または図６に示すように、ｎ回目の動作状態と（ｎ＋１）回目の動作状態が一致するものの、Ｖａ＜Ｖｎ−Ｖｎ＋１となるので（負荷が変化して電圧降下が急に大きくなるので）、（ｎ＋１）回目の検出結果は現状の電池電圧レベルとならない。
【００４０】
上述した実施形態では、ｎ回目の電池電圧レベルと（ｎ＋１）回目の電池電圧レベルとを比較し、ｎ回目および（ｎ＋１）回目の動作状態が一致し、かつｎ回目の電池電圧レベル（Ｖｎ）と、（ｎ＋１）回目の電池電圧レベル（Ｖｎ＋１）とが、最大電圧降下Ｖａ＞Ｖｎ−Ｖｎ＋１≧０となる条件が成立するときに、（ｎ＋１）回目の電池電圧レベルを現在の電池電圧レベルとし、それ以外のときは（ｎ＋１）回目の電池電圧レベルを採用せず、現状の電池電圧レベルを維持するようにしたので、動作状態の検出タイミングと電池電圧の検出タイミングとのずれによる電池残量レベルの誤検出を防止することができる。
【図面の簡単な説明】
【００４１】
【図１】本発明の実施形態による二次電池および携帯端末の略構成を示すブロック図である。
【図２】本実施形態による電池電圧検出装置の動作を説明するためのフローチャートである。
【図３】（ｎ＋１）回目の検出結果が現状の電池電圧レベルに反映されない例を説明するための概念図である。
【図４】（ｎ＋１）回目の検出結果が現状の電池電圧レベルに反映されない例を説明するための概念図である。
【図５】（ｎ＋１）回目の検出結果が現状の電池電圧レベルに反映されない例を説明するための概念図である。
【図６】（ｎ＋１）回目の検出結果が現状の電池電圧レベルに反映されない例を説明するための概念図である。
【図７】一般的な二次電池および携帯端末の略構成を示すブロック図である。
【図８】二次電池に負荷をかけたときの放電曲線の一例を示す概念図である。
【図９】従来技術による電池電圧レベルの制御動作を説明するためのフローチャートである。
【図１０】二次電池の負荷変化による放電曲線の変化を説明するための概念図である。
【符号の説明】
【００４２】
３−１〜３−３  回路ブロック
Ａ〜Ｃ  負荷
１０  電池電圧検出装置（電池電圧検出手段、動作状態検出手段、動作状態比較手段、電池電圧比較手段、電池残量決定手段、充電動作判別手段）
【図１】
2007187456.tif 000003
【図２】
2007187456.tif 000004
【図３】
2007187456.tif 000005
【図４】
2007187456.tif 000006
【図５】
2007187456.tif 000007
【図６】
2007187456.tif 000008
【図７】
2007187456.tif 000009
【図８】
2007187456.tif 000010
【図９】
2007187456.tif 000011
【図１０】
2007187456.tif 000012